(57)【要約】【課題】ファイルサイズに適した解像度で画像データを送信できる画像形成装置、及び画像データ送信システムを提供する。【解決手段】画像データ送信情報のファイルサイズ指定に「ＯＮ」が設定されると、ステップＳ１０４において画像データを最高の解像度であるベース画像に変換する。画像データ送信情報の解像度に「自動」が設定されると、ステップＳ１０９においてベース画像に変換した画像データの出力ファイルサイズが設定され、「解像度」が設定されると、ステップＳ１０９において「解像度」で変換した画像データの出力ファイルサイズが設定される。ステップＳ１１０において出力ファイルサイズがファイルサイズ上限より大きいときには、ステップＳ１１１においてファイルサイズ上限以下で最も高い解像度を算出し、ステップＳ１１３において算出した解像度に画像データを変換し、ステップＳ１１８において画像データのファイルを送信する。【選択図】図４
2016012882.tif 000002
【特許請求の範囲】
【請求項１】
ファイルサイズ上限を設定するファイルサイズ上限設定手段と、
画像データを最高の解像度であるベース画像に変換するベース画像変換手段と、
前記画像データの出力ファイルサイズを算出する出力ファイルサイズ算出手段と、
前記出力ファイルサイズが前記ファイルサイズ上限より大きいかを判定する出力ファイルサイズ判定手段と、
前記ベース画像変換手段により変換された前記画像データの前記出力ファイルサイズが前記ファイルサイズ上限より大きいときに、前記ベース画像に変換された前記画像データを前記出力ファイルサイズが前記ファイルサイズ上限以下で最も高い解像度に変換した前記画像データのファイルを送信する画像データファイル送信手段と
を備えることを特徴とする画像形成装置。
【請求項２】
前記画像データの解像度を設定する解像度設定手段を備え、
前記出力ファイルサイズ算出手段は、前記設定された解像度に変換された前記画像データの前記出力ファイルサイズを算出し、画像データファイル送信手段は、前記設定された解像度に変換された前記画像データの前記出力ファイルサイズが前記ファイルサイズ上限より大きいときに、前記ベース画像の前記画像データを前記出力ファイルサイズが前記ファイルサイズ上限以下で最も高い解像度に変換した前記画像データのファイルを送信することを特徴とする請求項１に記載の画像形成装置。
【請求項３】
前記画像データファイル送信手段は、前記ファイルサイズ上限が設定されていないときに、前記画像データを前記設定された解像度に変換した前記画像データのファイルを送信することを特徴とする請求項１または請求項２に記載の画像形成装置。
【請求項４】
前記ベース画像に変換した前記画像データを記憶するベース画像データ記憶手段を備えることを特徴とする請求項１から請求項３のいずれか１項に記載の画像形成装置。
【請求項５】
送信側の画像形成装置と受信側の画像形成装置を有する画像データ送信システムであって、
送信側の前記画像形成装置は、
ファイルサイズ上限を設定するファイルサイズ上限設定手段と、
画像データを最高の解像度であるベース画像に変換するベース画像変換手段と、
前記画像データの出力ファイルサイズを算出する出力ファイルサイズ算出手段と、
前記出力ファイルサイズが前記ファイルサイズ上限より大きいかを判定する出力ファイルサイズ判定手段と、
前記ベース画像変換手段により変換された前記画像データの前記出力ファイルサイズが前記ファイルサイズ上限より大きいときに、前記ベース画像に変換された前記画像データを前記出力ファイルサイズが前記ファイルサイズ上限以下で最も高い解像度に変換した前記画像データのファイルを送信する画像データファイル送信手段と
を備え、
受信側の前記画像形成装置は、
前記画像データのファイルを受信する画像データファイル受信手段
を備え
ることを特徴とする画像データ送信システム。
【請求項６】
送信側の前記画像形成装置は、
前記画像データの解像度を設定する解像度設定手段を備え、
前記出力ファイルサイズ算出手段が、前記設定された解像度に変換された前記画像データの前記出力ファイルサイズを算出し、画像データファイル送信手段が、前記設定された解像度に変換された前記画像データの前記出力ファイルサイズが前記ファイルサイズ上限より大きいときに、前記ベース画像の前記画像データを前記出力ファイルサイズが前記ファイルサイズ上限以下で最も高い解像度に変換した前記画像データのファイルを送信することを特徴とする請求項５に記載の画像データ送信システム。
【請求項７】
送信側の前記画像形成装置は、
前記画像データファイル送信手段が、前記ファイルサイズ上限が設定されていないときに、前記画像データを前記設定された解像度に変換した前記画像データのファイルを送信することを特徴とする請求項５または請求項６に記載の画像データ送信システム。
【請求項８】
送信側の前記画像形成装置は、
前記ベース画像に変換した前記画像データを記憶するベース画像データ記憶手段を備えることを特徴とする請求項５から請求項７のいずれか１項に記載の画像データ送信システム。
【発明の詳細な説明】
【技術分野】
【０００１】
本発明は、画像データの送信に係り、特に画像データの画像密度（以下、「解像度」という）を設定して画像データを送信する画像形成装置、及び画像データ送信システムに関する。
【背景技術】
【０００２】
最近の技術によれば、プリンター、多機能プリンター、多機能周辺装置、又は複合機などのＭＦＰ（Ｍｕｌｔｉｆｕｎｃｔｉｏｎ  Ｐｅｒｉｐｈｅｒａｌ）である画像形成装置は、文書をスキャナーで読み込み、ユーザーが設定した解像度の画像データを他の画像形成装置に送信することができる。また、画像データを受信した画像形成装置は、画像データに設定された解像度で画像データを保存し、保存した画像データを表示または印刷出力することができる。しかし、高い解像度の画像データは、ファイルサイズが大きくなるため、受信できるファイルサイズに制限がある画像形成装置では、ファイルサイズが大きい画像データを受信することができない。このため、送信側の画像形成装置は受信側の画像形成装置が受信できるファイルサイズなどの情報を記憶し、この情報により決定した解像度で画像データのファイルを受信側の画像形成装置に送信するようにしている。例えば、特許文献１の画像データ送信装置及び画像データ送信方法では、画像データから解像度の異なる複数の画像変換データファイルに変換し、画像変換データファイルのそれぞれのファイル情報と共にそれぞれの異なる解像度の画像変換データファイルのプレビューを受信装置に送信する。受信装置は、ファイル情報と画像変換データファイルのプレビューを受信すると、画像データの変換方法に関する指示情報を画像データ送信装置に送信する。画像データ送信装置は、受信した指示情報に基づいて画像変換データファイルを編集して受信装置に送信している。このように、画像データ送信装置は、受信装置の指示情報のファイルサイズで画像変換データを受信装置に送信できる。
【先行技術文献】
【特許文献】
【０００３】
【特許文献１】特開２００６−３１４０２１号公報
【発明の概要】
【発明が解決しようとする課題】
【０００４】
しかし、特許文献１の画像データ送信装置及び画像データ送信方法では、画像データ送信装置が画像変換データファイルのファイル情報と画像変換データファイルのプレビューを受信装置に送信し、受信装置が指示情報を画像データ送信装置に送信しなければならない。つまり、画像データ送信装置が画像変換データを受信装置に送信する前に、情報の送受信を行わなければならないので、画像データ送信装置、受信装置、及びネットワークに負荷がかかるという問題があった。
【０００５】
本発明はこのような状況に鑑みてなされたものであり、上記課題を解決できる画像形成装置、及び画像データ送信システムを提供することを目的とする。
【課題を解決するための手段】
【０００６】
本発明の画像形成装置は、ファイルサイズ上限を設定するファイルサイズ上限設定手段と、画像データを最高の解像度であるベース画像に変換するベース画像変換手段と、前記画像データの出力ファイルサイズを算出する出力ファイルサイズ算出手段と、前記出力ファイルサイズが前記ファイルサイズ上限より大きいかを判定する出力ファイルサイズ判定手段と、前記ベース画像変換手段により変換された前記画像データの前記出力ファイルサイズが前記ファイルサイズ上限より大きいときに、前記ベース画像に変換された前記画像データを前記出力ファイルサイズが前記ファイルサイズ上限以下で最も高い解像度に変換した前記画像データのファイルを送信する画像データファイル送信手段とを備えることを特徴としている。
また、本発明の画像形成装置は、前記画像データの解像度を設定する解像度設定手段を備え、前記出力ファイルサイズ算出手段が、前記設定された解像度に変換された前記画像データの前記出力ファイルサイズを算出し、画像データファイル送信手段が、前記設定された解像度に変換された前記画像データの前記出力ファイルサイズが前記ファイルサイズ上限より大きいときに、前記ベース画像の前記画像データを前記出力ファイルサイズが前記ファイルサイズ上限以下で最も高い解像度に変換した前記画像データのファイルを送信することを特徴としている。
また、本発明の画像形成装置の前記画像データファイル送信手段は、前記ファイルサイズ上限が設定されていないときに、前記画像データを前記設定された解像度に変換した前記画像データのファイルを送信することを特徴としている。
また、本発明の画像形成装置は、前記ベース画像に変換した前記画像データを記憶するベース画像データ記憶手段を備えることを特徴としている。
本発明の画像データ送信システムの送信側の画像形成装置と受信側の画像形成装置を有する画像データ送信システムであって、送信側の前記画像形成装置は、ファイルサイズ上限を設定するファイルサイズ上限設定手段と、画像データを最高の解像度であるベース画像に変換するベース画像変換手段と、前記画像データの出力ファイルサイズを算出する出力ファイルサイズ算出手段と、前記出力ファイルサイズが前記ファイルサイズ上限より大きいかを判定する出力ファイルサイズ判定手段と、前記ベース画像変換手段により変換された前記画像データの前記出力ファイルサイズが前記ファイルサイズ上限より大きいときに、前記ベース画像に変換された前記画像データを前記出力ファイルサイズが前記ファイルサイズ上限以下で最も高い解像度に変換した前記画像データのファイルを送信する画像データファイル送信手段とを備え、受信側の前記画像形成装置は、前記画像データのファイルを受信する画像データファイル受信手段を備えることを特徴としている。
また、本発明の画像データ送信システムの送信側の前記画像形成装置は、前記画像データの解像度を設定する解像度設定手段を備え、前記出力ファイルサイズ算出手段が、前記設定された解像度に変換された前記画像データの前記出力ファイルサイズを算出し、画像データファイル送信手段が、前記設定された解像度に変換された前記画像データの前記出力ファイルサイズが前記ファイルサイズ上限より大きいときに、前記ベース画像の前記画像データを前記出力ファイルサイズが前記ファイルサイズ上限以下で最も高い解像度に変換した前記画像データのファイルを送信することを特徴としている。
また、本発明の画像データ送信システムの送信側の前記画像形成装置は、前記画像データファイル送信手段が、前記ファイルサイズ上限が設定されていないときに、前記画像データを前記設定された解像度に変換した前記画像データのファイルを送信することを特徴としている。
また、本発明の画像データ送信システムの送信側の前記画像形成装置は、前記ベース画像に変換した前記画像データを記憶するベース画像データ記憶手段を備えることを特徴としている。
【発明の効果】
【０００７】
本発明の画像形成装置、及び画像データ送信システムは、画像データのファイルサイズに適した解像度で画像データを送信できる。
【図面の簡単な説明】
【０００８】
【図１】本発明の実施形態に係る画像データ送信システムの構成を示す図である。
【図２】図１に示す画像形成データ送信システムの画像形成装置の機能構成を示す図である。
【図３】本発明の実施形態に係る画像データ送信情報設定画面、ファイルサイズ設定画面、及び解像度設定画面の画面フォーマットを示す図である。
【図４】本発明の実施形態に係る画像形成装置の画像データ送信処理の流れを示すフローチャートである。
【発明を実施するための形態】
【０００９】
以下、本発明を実施するための形態（以下、「実施形態」という）を、図面を参照して説明する。本実施形態は、ユーザーが画像データのファイルを送信するときに、送信側の画像形成装置から画像データのファイルサイズを設定できるようにし、このファイルサイズに適した解像度に変換した画像データのファイルを受信側の画像形成装置に送信するものである。
【００１０】
本実施形態の画像データ送信システム１０の概要について、図１を用いて説明する。図１に示すように、画像データ送信システム１０は、画像形成装置１００、画像形成装置２００、ルーター３００、ＬＡＮ（Local Area Network）４００、及びインターネット５００により構成されている。画像形成装置１００、画像形成装置２００、及びルーター３００は、ＬＡＮ４００に接続されている。ルーター３００は、インターネット５００に接続されている。実施形態においては、画像形成装置１００を送信側、画像形成装置２００を受信側として、画像形成装置１００から画像形成装置２００に画像データのファイルを送信する場合について説明する。
【００１１】
次に、画像データ送信システム１０を構成する装置や機器について説明する。
【００１２】
画像形成装置１００は、プリンター、多機能プリンター、多機能周辺装置、又は複合機であり、画像データの送受信、原稿台から直接読み取った原稿の画像データや受信した画像データの印刷を行う。
【００１３】
画像形成装置２００は、プリンター、多機能プリンター、多機能周辺装置、又は複合機であり、画像データの送受信、原稿台から直接読み取った原稿の画像データや受信した画像データの印刷を行う。
【００１４】
ルーター３００は、ＬＡＮ４００とインターネット５００とを接続する。また、ルーター３００がＬＡＮ４００に接続するときにファイアーウォール（図示せず）を経由させる。このファイアーウォールにより、ＬＡＮ４００に接続されている画像形成装置１００と画像形成装置２００へのインターネット５００からの不正アクセスを防止する。
【００１５】
次に、画像形成装置１００の機能構成について、図２を用いて説明する。なお、画像形成装置２００の機能構成は、画像形成装置１００の機能構成に同じである。
図２に示す画像形成装置１００は、制御部１１０、メモリー部１２０、データ保存部１３０、ＬＡＮインターフェイス部１４０、操作パネル１５０、操作パネル処理部１６０、原稿読取部１７０、画像形成部１８０、及び印刷部１９０を備え、これら各部はバスなどにより接続される構成となっている。
【００１６】
制御部１１０は、ＲＡＭやＲＯＭ等の主記憶手段、及びＣＰＵ(Central Processing Unit)等の制御手段を備えている。また、制御部１１０は、各種Ｉ／Ｏや、ＵＳＢ（ユニバーサル・シリアル・バス）等のインターフェイス、バスコントローラー等を含む総合的な画像形成装置１００の制御を行う。制御部１１０には、画像データ送信処理部１１０ａが設けられている。画像データ送信処理部１１０ａは、画像データのファイルを画像形成装置２００に送信する。
【００１７】
メモリー部１２０は、フラッシュメモリー等からなる補助記憶装置で、制御部１１０が実行する処理のプログラムやデータを記憶する。メモリー部１２０には、画像データ送信情報記憶エリア１２０ａとベース画像データ一時記憶エリア１２０ｂが設けられている。
画像データ送信情報記憶エリア１２０ａは、ユーザーが画像データを送信するときに画像データ送信情報設定画面７１０、ファイルサイズ設定画面７２０、及び解像度設定画面７３０から設定する画像データの原稿サイズ、送信サイズ、ファイル形式、ファイルサイズ、及び解像度などの情報（以下、「画像データ送信情報」という）を記憶する（図３参照）。画像データ送信情報設定画面７１０、ファイルサイズ設定画面７２０、及び解像度設定画面７３０の詳細については、後述する。
ベース画像データ一時記憶エリア１２０ｂは、画像データを最高の解像度（６００ｄｐｉ：６００×６００）であるベース画像に変換した画像データを一時的に記憶する。
【００１８】
データ保存部１３０は、データやプログラムを保存するハードディスクドライブである。データ保存部１３０には、画像データ保存エリア１３０ａが設けられている。
画像データ保存エリア１３０ａは、原稿読取部１７０により原稿が読み取られて画像形成部１８０により画像処理された画像データ、ＬＡＮインターフェイス部１４０を経由して画像形成装置２００に送信する画像データ、またはＬＡＮインターフェイス部１４０を経由して画像形成装置２００から受信する画像データを保存する。
【００１９】
ＬＡＮインターフェイス部１４０は、ＬＡＮ４００に接続するための着脱可能なＬＡＮインターフェイスを備えている。ＬＡＮインターフェイスには、ＴＣＰ／ＩＰ、ＡｐｐｌｅＴａｌｋ、ＳＭＢ等の各種ネットワークプロトコルのインテリジェントな送受信を行うネットワーク部を含んでいる。
【００２０】
操作パネル１５０は、操作メニューの表示、ユーザーの指による操作を受け付ける。また、ユーザーは操作パネル１５０から画像形成装置１００に設定する各種情報を入力することができる。また、操作パネル１５０は、画像データ送信情報設定画面７１０、ファイルサイズ設定画面７２０、及び解像度設定画面７３０のユーザーの表示操作を受け付け、また画像データ送信情報設定画面７１０、ファイルサイズ設定画面７２０、及び解像度設定画面７３０からの設定を入力する。
【００２１】
操作パネル処理部１６０は、画像形成装置１００が備えている機能の操作項目を操作パネル１５０に表示する処理、及び操作パネル１５０からユーザーが行う操作に対する操作データを入力する処理を行う。また、操作パネル処理部１６０は、ユーザーの表示操作により画像データ送信情報設定画面７１０、ファイルサイズ設定画面７２０、及び解像度設定画面７３０を操作パネル１５０に表示し、画像データ送信情報設定画面７１０、ファイルサイズ設定画面７２０、及び解像度設定画面７３０からユーザーが設定した画像データ送信情報をメモリー部１２０の画像データ送信情報記憶エリア１２０ａに記憶する。
【００２２】
原稿読取部１７０は、ユーザーが操作パネル１５０から原稿の読み取り要求を行うと、原稿台にセットされた原稿の読み取りを行い、原稿データを作成する。
【００２３】
画像形成部１８０は、ユーザーからの読み取り要求により原稿読取部１７０で作成した原稿データから画像データを形成し、また画像データを指定された解像度に変換する。
【００２４】
印刷部１９０は、ユーザーから印刷要求のあった画像データをコピー用紙などに印刷する。
【００２５】
次に、画像形成装置１００の画像データを送信するときに設定する画像データ送信情報設定画面７１０、ファイルサイズ設定画面７２０、及び解像度設定画面７３０について、図３を用いて説明する。図３（１）は、画像データ送信情報設定画面７１０の画面フォーマットである。図３（２）は、ファイルサイズ設定画面７２０の画面フォーマットである。図３（３）は、解像度設定画面７３０の画面フォーマットである。
【００２６】
まず、図３（１）に示す画像データ送信情報設定画面７１０について説明する。画像データ送信情報設定画面７１０は、ユーザーが画像データのファイルを送信するときに設定する画面である。画像データ送信情報設定画面７１０から設定された情報は、メモリー部１２０の画像データ送信情報記憶エリア1２０ａに記憶される。画像データ送信情報設定画面７１０は、画像データプレビュー表示エリア７１１、画像データ送信情報設定エリア７１２、「キャンセル」ボタン７１３、及び「ＯＫ」ボタン７１４を備えている。
【００２７】
画像データプレビュー表示エリア７１１は、ユーザーが送信する画像データのプレビュー画像を表示する。
【００２８】
画像データ送信情報設定エリア７１２は、「原稿サイズ」ボタン７１２ａ、「原稿サイズ」表示エリア７１２ｂ、「送信サイズ」ボタン７１２ｃ、「送信サイズ」表示エリア７１２ｄ、「ファイル形式」ボタン７１２ｅ、「ファイル形式」表示エリア７１２ｆ、「ファイルサイズ」ボタン７１２ｇ、「ファイルサイズ」表示エリア７１２ｈ、「解像度」ボタン７１２ｉ、及び「解像度」表示エリア７１２ｊが設けられている。
【００２９】
「原稿サイズ」ボタン７１２ａは、ポイントされる度に「原稿サイズ」表示エリア７１２ｂの表示が変わるので、「原稿サイズ」ボタン７１２ａによってユーザーが「原稿サイズ」表示エリア７１２ｂに表示した「原稿サイズ」を画像データ送信情報の原稿サイズに設定することができる。例えば、ユーザーが「原稿サイズ」ボタン７１２ａをポイントし、「原稿サイズ」表示エリア７１２ｂに「Ａ４」が表示されたときにポイントを止めると、原稿サイズにＡ４が設定される。
【００３０】
「送信サイズ」ボタン７１２ｃは、ポイントされる度に「送信サイズ」表示エリア７１２ｄの表示が変わるので、「送信サイズ」ボタン７１２ｃによってユーザーが「送信サイズ」表示エリア７１２ｄに表示した「送信サイズ」を画像データ送信情報の送信サイズに設定することができる。例えば、ユーザーが「送信サイズ」ボタン７１２ｃをポイントし、「送信サイズ」表示エリア７１２ｄに「Ａ４」が表示されたときにポイントを止めると、送信サイズにＡ４が設定される。
【００３１】
「ファイル形式」ボタン７１２ｅは、ポイントされる度に「ファイル形式」表示エリア７１２ｆの表示が変わるので、「ファイル形式」ボタン７１２ｅによってユーザーが「ファイル形式」表示エリア７１２ｆに表示した「ファイル形式」を画像データ送信情報のファイル形式に設定することができる。例えば、ユーザーが「ファイル形式」ボタン７１２ｅをポイントし、「ファイル形式」表示エリア７１２ｆに「ＰＤＦ」が表示されたときにポイントを止めると、送信サイズにＰＤＦが設定される。
【００３２】
「ファイルサイズ」ボタン７１２ｇをポイントすると、図３（２）に示すファイルサイズ設定画面７２０が表示され、ファイルサイズ設定画面７２０の設定が「ファイルサイズ」表示エリア７１２ｈに表示され、画像データ送信情報のファイルサイズを設定することができる。ファイルサイズ設定画面７２０の設定については、後述する。
【００３３】
「解像度」ボタン７１２ｉをポイントすると、図３（３）に示す解像度設定画面７３０が表示され、解像度設定画面７３０の設定が「解像度」表示エリア７１２ｊに表示され、画像データ送信情報の解像度を設定することができる。解像度設定画面７３０の設定については、後述する。
【００３４】
「キャンセル」ボタン７１３は、画像データのファイルの送信をキャンセルするときにポイントするボタンである。「キャンセル」ボタン７１３をポイントすると、画像データのファイルの送信が取り消される。
【００３５】
「ＯＫ」ボタン７１４は、画像データのファイルの送信を行うときにポイントするボタンである。「ＯＫ」ボタン７１４をポイントすると、画像データのファイルの送信を実行する。
【００３６】
次に、図３（２）に示すファイルサイズ設定画面７２０について説明する。ファイルサイズ設定画面７２０は、ユーザーが画像データのファイルを送信するときに設定する画面であり、画像データ送信情報設定画面７１０の「ファイルサイズ」ボタン７１２ｇをポイントすると表示される。ファイルサイズ設定画面７２０から設定された情報は、メモリー部１２０の画像データ送信情報記憶エリア1２０ａに記憶される。ファイルサイズ設定画面７２０は、画像データプレビュー表示エリア７２１、ファイルサイズ設定エリア７２２、及び「戻り」ボタン７２３を備えている。
【００３７】
画像データプレビュー表示エリア７２１は、ユーザーが送信する画像データのプレビュー画像を表示する。
【００３８】
ファイルサイズ設定エリア７２２は、「ＯＮ」ボタン７２２ａ、「ファイルサイズ」入力エリア７２２ｂ、及び「ＯＦＦ」ボタン７２２ｃが設けられている。
【００３９】
「ＯＮ」ボタン７２２ａをポイントすると、画像データ送信情報のファイルサイズ指定に「ＯＮ」が設定され、「ファイルサイズ」入力エリア７２２ｂのファイルサイズの入力が可能となる。「ファイルサイズ」入力エリア７２２ｂのファイルサイズに、画像データ送信情報のファイルサイズを設定することができる。また、「ファイルサイズ」入力エリア７２２ｂのファイルサイズは、画像データ送信情報設定画面７１０の「ファイルサイズ」表示エリア７１２ｈに表示される。
【００４０】
「ＯＦＦ」ボタン７２２ｃをポイントすると、画像データ送信情報のファイルサイズ指定に「ＯＦＦ」が設定される。また、画像データ送信情報設定画面７１０の「ファイルサイズ」表示エリア７１２ｈに「ＯＦＦ」が表示される。
【００４１】
「戻り」ボタン７２３は、画像データ送信情報設定画面７１０に戻るときにポイントするボタンである。「戻り」ボタン７２３をポイントすると、画像データ送信情報設定画面７１０が表示される。
【００４２】
次に、図３（３）に示す解像度設定画面７３０について説明する。解像度設定画面７３０は、ユーザーが画像データのファイルを送信するときに設定する画面であり、画像データ送信情報設定画面７１０の「解像度」ボタン７１２ｊをポイントすると表示される。解像度設定画面７３０から設定された情報は、メモリー部１２０の画像データ送信情報記憶エリア1２０ａに記憶される。解像度設定画面７３０は、画像データプレビュー表示エリア７３１、解像度設定エリア７３２、及び「戻り」ボタン７３３を備えている。
【００４３】
画像データプレビュー表示エリア７３１は、ユーザーが送信する画像データのプレビュー画像を表示する。
【００４４】
解像度設定エリア７３２は、「自動」ボタン７３２ａ、「600×600」ボタン７３２ｂ、「400×400」ボタン７３２ｃ、「300×300」ボタン７３２ｄ、「200×400」ボタン７３２ｅ、「200×200」ボタン７３２ｆ、及び「200×100」ボタン７３２ｇが設けられている。
【００４５】
「自動」ボタン７３２ａ、「600×600」ボタン７３２ｂ、「400×400」ボタン７３２ｃ、「300×300」ボタン７３２ｄ、「200×400」ボタン７３２ｅ、「200×200」ボタン７３２ｆ、及び「200×100」ボタン７３２ｇのいずれかをポイントすると、ポイントした「自動」または「解像度ｄｐｉ」を画像データ送信情報の解像度に設定することができる。また、ポイントした「自動」または「解像度ｄｐｉ」は、画像データ送信情報設定画面７１０の「解像度」表示エリア７１２ｊに表示される。
【００４６】
「戻り」ボタン７３３は、画像データ送信情報設定画面７１０に戻るときにポイントするボタンである。「戻り」ボタン７３３をポイントすると、画像データ送信情報設定画面７１０が表示される。
【００４７】
次に、画像データ送信処理部１１０ａが実行する画像データ送信処理の手順について、図４を用いて説明する。
【００４８】
ユーザーが画像データ送信情報設定画面７１０、ファイルサイズ設定画面７２０、及び解像度設定画面７３０の設定を行い、原稿台に原稿をセットして操作パネル１５０の開始ボタンを押下する。操作パネル処理部１６０は、開始ボタンの押下操作により、制御部１１０に画像データの送信要求を出力する。制御部１１０が送信要求を入力すると、画像データ送信処理部１１０ａを起動し、画像データ送信処理部１１０ａが画像データ送信処理を開始する。画像データ送信処理部１１０ａが実行する画像データ送信処理について、図４に示すフローチャートのステップ順に説明する。
【００４９】
（ステップＳ１０１）
まず、画像データ送信処理部１１０ａは、原稿読取部１７０に原稿の読み込みを要求し、原稿読取部１７０が読み込んだ原稿から作成した原稿データを入力する。
【００５０】
（ステップＳ１０２）
次いで、画像データ送信処理部１１０ａは、メモリー部１２０の画像データ送信情報記憶エリア１２０ａから画像データ送信情報を取り出す。
【００５１】
（ステップＳ１０３）
次いで、画像データ送信処理部１１０ａは、画像データ送信情報のファイルサイズ指定に「ＯＮ」が設定されているかを判定する。画像データ送信情報のファイルサイズ指定に「ＯＮ」が設定されているとき（ステップＳ１０３のＹｅｓ）は、ステップＳ１０４に進む。画像データ送信情報のファイルサイズ指定に「ＯＮ」でなく「ＯＦＦ」が設定されているとき（ステップＳ１０３のＮｏ）は、ステップＳ１１５に進む。
【００５２】
（ステップＳ１０４）
ステップＳ１０３のＹｅｓにおいて、画像データ送信処理部１１０ａは、ステップＳ１０１で入力した原稿データを画像形成部１８０により最高の解像度であるベース画像（６００ｄｐｉ）の画像データに変換する。
【００５３】
（ステップＳ１０５）
次いで、画像データ送信処理部１１０ａは、ベース画像に変換した画像データをベース画像データ一時記憶エリア１２０ｂに記憶する。
【００５４】
（ステップＳ１０６）
次いで、画像データ送信処理部１１０ａは、画像データ送信情報の解像度に「自動」が設定されているかを判定する。画像データ送信情報の解像度に「自動」が設定されているとき（ステップＳ１０６のＹｅｓ）は、ステップＳ１０８に進む。画像データ送信情報の解像度に「自動」が設定されていないとき（ステップＳ１０６のＮｏ）は、ステップＳ１０７に進む。
【００５５】
（ステップＳ１０７）
ステップＳ１０６のＮｏにおいて、画像データ送信処理部１１０ａは、ステップＳ１０４でベース画像に変換した画像データを画像形成部１８０により画像データ送信情報の解像度に変換する。
【００５６】
（ステップＳ１０８）
次いで、画像データ送信処理部１１０ａは、画像データ送信情報のファイル形式の画像データのファイルを作成する。
【００５７】
（ステップＳ１０９）
次いで、画像データ送信処理部１１０ａは、画像データのファイルサイズを出力ファイルサイズに設定する。
【００５８】
（ステップＳ１１０）
次いで、画像データ送信処理部１１０ａは、出力ファイルサイズが画像データ送信情報のファイルサイズ（以下、「ファイルサイズ上限」という）より大きいかを判定する。出力ファイルサイズがファイルサイズ上限より大きいとき（ステップＳ１１０のＹｅｓ）は、ステップＳ１１１に進む。出力ファイルサイズがファイルサイズ上限以下のとき（ステップＳ１１０のＮｏ）は、ステップＳ１１７に進む。
【００５９】
（ステップＳ１１１）
ステップＳ１１０のＹｅｓにおいて、画像データ送信処理部１１０ａは、画像データのファイルサイズがファイルサイズ上限以下となる最も高い解像度を算出する。
【００６０】
（ステップＳ１１２）
次いで、画像データ送信処理部１１０ａは、ベース画像データ一時記憶エリア１２０ｂから画像データを取り出す。
【００６１】
（ステップＳ１１３）
次いで、画像データ送信処理部１１０ａは、画像データを画像形成部１８０によりステップＳ１１１で算出した解像度に変換する。
【００６２】
（ステップＳ１１４）
次いで、画像データ送信処理部１１０ａは、画像データ送信情報のファイル形式の画像データのファイルを作成する。
【００６３】
（ステップＳ１１５）
ステップＳ１０３のＮｏにおいて、画像データ送信処理部１１０ａは、ステップＳ１０１で取り出した画像データを画像形成部１８０により画像データ送信情報の解像度に変換する。
【００６４】
（ステップＳ１１６）
次いで、画像データ送信処理部１１０ａは、画像データ送信情報のファイル形式の画像データのファイルを作成する。
【００６５】
（ステップＳ１１７）
次に、画像データ送信処理部１１０ａは、画像データ送信情報設定画面７１０の「ＯＫ」ボタン７１４がポイントされたかを判定する。「ＯＫ」ボタン７１４がポイントされたとき（ステップＳ１１７のＹｅｓ）は、ステップＳ１１８に進む。「ＯＫ」ボタン７１４でなく「キャンセル」ボタン７１３がポイントされたとき（ステップＳ１１７のＮｏ）は、画像データ送信処理を終了する。
【００６６】
（ステップＳ１１８）
ステップＳ１１７のＹｅｓにおいて、画像データ送信処理部１１０ａは、ＬＡＮインターフェイス部１４０を経由して画像データのファイルを画像形成装置２００に送信し、画像データ送信処理を終了する。なお、ステップＳ１１５、ステップＳ１１６、ステップＳ１１７、ステップＳ１１８のルートは、従来のファイル送信方法と同じで、ステップＳ１１８で送信エラーとなる場合もあり得る。
【００６７】
以上の画像形成装置１００は、画像データのファイルを送信するときに、ファイルサイズ上限が入力されると、入力したファイルサイズ上限を超える画像データのファイルを送信することができないので、大容量の画像データのファイルが送信されることを防止できる。また、このファイルサイズ上限以下で最も高い解像度を自動的に算出し、この算出された解像度で画像データのファイルを送信することができる。また、最高の解像度であるベース画像に変換した画像データを記憶しておくことで、解像度が変更された場合でも、この最高の解像度であるベース画像の画像データを変更された解像度に変換するので、画像データの劣化を防止することができる。また、ファイルサイズ上限を超えないファイルサイズで画像データのファイルを送信することで、送信エラーを抑止できる。このように、送信エラーを抑止することで、今まで送信エラーが発生する度にユーザーが原稿を何回も読み取っていた作業を削減でき、また原稿を読み取る作業における原稿の劣化を防止できる。
【００６８】
なお、実施形態においては、ＬＡＮ４００に接続されている画像形成装置１００から画像形成装置２００に画像データのファイルを送信する場合について説明したが、これに限定されない。例えば、ＬＡＮ４００に接続されている画像形成装置からインターネット５００に接続されている画像形成装置に画像データのファイルを送信することも可能である。また、インターネット５００に接続されている画像形成装置からＬＡＮ４００に接続されている画像形成装置に画像データのファイルを送信することも可能である。更に、インターネット５００に接続されている画像形成装置からインターネット５００に接続されている画像形成装置に画像データのファイルを送信することも可能である。
【００６９】
このような本発明の画像形成装置、及び画像データ送信システムは、画像データのファイルサイズに適した解像度で画像データを送信できる。
【００７０】
以上、具体的な実施の形態により本発明を説明したが、上記実施の形態は本発明の例示であり、この実施の形態に限定されないことは言うまでもない。
【産業上の利用可能性】
【００７１】
本発明は、画像形成装置に好適であるが、画像形成装置、及び画像データ送信システムに限られるものではなく、画像データの解像度を変更できる装置及びシステム一般に適用できる。
【符号の説明】
【００７２】
１０・・・・・画像データ送信システム
１００・・・・・画像形成装置
１１０・・・・・制御部
１１０ａ・・・・画像データ送信処理部
１２０・・・・・メモリー部
１２０ａ・・・・画像データ送信情報記憶エリア
１２０ｂ・・・・ベース画像データ一時記憶エリア
１３０・・・・・データ保存部
１３０ａ・・・・画像データ保存エリア
１４０・・・・・ＬＡＮインターフェイス部
１５０・・・・・操作パネル
１６０・・・・・操作パネル処理部
１７０・・・・・原稿読取部
１８０・・・・・画像形成部
１９０・・・・・印刷部
２００・・・・・画像形成装置
３００・・・・・ルーター
４００・・・・・ＬＡＮ
５００・・・・・インターネット
７１０・・・・・画像データ送信情報設定画面
７１１・・・・・画像データプレビュー表示エリア
７１２・・・・・画像データ送信情報設定エリア
７１２ａ・・・・「原稿サイズ」ボタン
７１２ｂ・・・・「原稿サイズ」表示エリア
７１２ｃ・・・・「送信サイズ」ボタン
７１２ｄ・・・・「送信サイズ」表示エリア
７１２ｅ・・・・「ファイル形式」ボタン
７１２ｆ・・・・「ファイル形式」表示エリア
７１２ｇ・・・・「ファイルサイズ」ボタン
７１２ｈ・・・・「ファイルサイズ」表示エリア
７１２ｉ・・・・「解像度」ボタン
７１２ｊ・・・・「解像度」表示エリア
７１３・・・・・「キャンセル」ボタン
７１４・・・・・「ＯＫ」ボタン
７２０・・・・・ファイルサイズ設定画面
７２１・・・・・画像データプレビュー表示エリア
７２２・・・・・ファイルサイズ設定エリア
７２２ａ・・・・「ＯＮ」ボタン
７２２ｂ・・・・「ファイルサイズ」入力エリア
７２２ｃ・・・・「ＯＦＦ」ボタン
７２３・・・・・「戻り」ボタン
７３０・・・・・解像度設定画面
７３１・・・・・画像データプレビュー表示エリア
７３２・・・・・解像度設定エリア
７３２ａ・・・・「自動」ボタン
７３２ｂ・・・・「600×600」ボタン
７３２ｃ・・・・「400×400」ボタン
７３２ｄ・・・・「300×300」ボタン
７３２ｅ・・・・「200×400」ボタン
７３２ｆ・・・・「200×200」ボタン
７３２ｇ・・・・「200×100」ボタン
７３３・・・・・「戻り」ボタン
【図１】
2016012882.tif 000003
【図２】
2016012882.tif 000004
【図３】
2016012882.tif 000005
【図４】
2016012882.tif 000006